(57)【要約】【課題】マイナスイオン発生器を備え快適性を増した石油燃料燃焼暖房機を提供することにある。【解決手段】筐体内に直流電源によりマイナスイオンを発生させる放電式マイナスイオン発生器１７を備えた石油燃料燃焼暖房機において、石油燃料燃焼暖房機の燃焼などの制御を行う制御回路２２の直流電源は、商用電源９から絶縁トランス１０を介して供給する構成とし、放電式マイナスイオン発生器１７に供給する直流電源は、前記制御回路２２の直流電源とは共用化せず、商用電源９に直流変換用ダイオード２０を介して直接接続する。【選択図】　図１
2004101152.tif 000002
【特許請求の範囲】
【請求項１】
筐体内に直流電源によりマイナスイオンを発生させる放電式マイナスイオン発生器（１７）を備えた石油燃料燃焼暖房機において、石油燃料燃焼暖房機の燃焼などの制御を行う制御回路（２２）の直流電源は、商用電源（９）から絶縁トランス（１０）を介して供給する構成とし、放電式マイナスイオン発生器（１７）に供給する直流電源は、前記制御回路（２２）の直流電源とは共用化せず、商用電源（９）に直流変換用ダイオード（２０）を介して直接接続することを特徴とする石油燃料燃焼暖房機。
【発明の詳細な説明】
【０００１】
【発明の属する技術分野】
本発明は、石油燃料を気化して燃焼させる石油ファンヒータ、ＦＦ式の石油温風暖房機等の石油燃料燃焼暖房機に係り、特に、マイナスイオン発生器を備え快適性を増した石油燃料燃焼暖房機に関するものである。
【０００２】
【従来の技術】
【特許文献１】特開平８−７５１４７号公報
【特許文献２】特開２００２−１８４５５３号公報
石油燃料をガス化し、それを燃焼させることにより発生した熱を送風ファンによって筐体外に排出し、居室などの暖房を行う石油ファンヒータは、近年、快適性を増す目的で、マイナスイオンを発生させる装置を内蔵することが考えられている。
【０００３】
ところで、従来の石油ファンヒータは、バーナーの燃焼状態を検出するために、バーナーの炎に入るようにフレームロッド（電極）を設け、フレームロッドとバーナー間を、炎を通して流れる電流（炎電流）が炎の状態によって変化することを利用して、燃焼状態を制御回路により検出し異常燃焼を防止している（例えば特許文献１）。
【０００４】
そして、筐体およびバーナーを含めた内部の構造物は金属で構成されているため、フレームロッドとバーナー間に流れる炎電流による人体への感電を防ぐ目的で、石油ファンヒータを制御する制御回路に電源を供給する電源回路は、絶縁トランスを用いて商用電源から絶縁している。
【０００５】
この種の石油ファンヒータの一般的な制御回路について図２により説明する。１はマイコンであり、制御回路全体の制御を行っている。２は運転スイッチで、運転開始時に操作するものである。３は運転ランプで、動作中に点灯する。４は電磁弁で、気化器（図示せず）内に石油を導くための弁を開閉するものである。５はヒーターで、気化器内に内在し通電により気化器内の石油を加熱し石油を気化する温度まで上昇させるものである。６はイグナイターで、火花を飛ばすことにより気化した石油に着火させる動作をする。７はバーナー、８はフレームロッドで、バーナーで燃えている炎に入るように設置してあり、フレームロッド８とバーナー７間に炎があることによって流れる炎電流を検知することにより着火の検知を行うものである。
【０００６】
前記炎電流を流す為の回路は、商用電源９から絶縁トランス１０を介してバーナー７に電圧を印加し、フレームロッド８は筐体アースに接続され、炎電流は抵抗に流して電圧に変換された後マイコン１の電圧入力端子１１に入力している。
【０００７】
１２はポンプで、石油を気化器内にタンク（図示せず）から送るものである。１３は送風ファンであり、バーナー７で燃焼により発生した熱を筐体外に温風として排出する。１４は消火スイッチで、本体の使用後消火するときに操作することにより、マイコン１に消火信号が入力され、マイコン１は電磁弁４を閉じ、気化器内への石油の供給を断ち消火する。
【０００８】
１５は電源回路であり、商用電源９から炎電流を検出する回路に使用している同じ絶縁トランスの別の２次側巻線から、ダイオードブリッジ１６で整流した後マイコン１やその他制御回路の直流電源として安定化した電圧を供給している。
【０００９】
次にこのように構成された制御回路の動作について説明する。
【００１０】
運転スイッチ２が押されると、マイコン１は運転ランプ３を点灯すると共に電磁弁４を開き、気化器内に石油を導き気化器内のヒーター５に通電し石油を加熱する。そして、石油を気化する温度まで上昇させた後、イグナイター６で火花を発生させ、気化した石油に着火動作をする。そして、マイコン１はバーナー７とフレームロッド８間に炎があることによって流れる炎電流を検知することにより着火の検知をする。
【００１１】
マイコン１は予めプログラミングされている正常な燃焼時における炎電流値と電圧値の関係テーブルに基づいて、正常燃焼か否かを検知する。
【００１２】
着火後、燃焼の熱で石油は気化するためヒーター５の通電を停止し、ポンプ１２により石油を気化器内にタンクから送るとともに送風ファン１３を動作させ、燃焼で発生した熱を筐体外に温風として排出する。
【００１３】
このような石油ファンヒータに内蔵しようとするマイナスイオン発生器は、針状の電極に高電圧を印加してマイナスイオンを発生させる放電式マイナスイオン発生器が一般的である（例えば特許文献２）。
【００１４】
そして、電極からマイナスイオンが発生すると共にプラスイオンも発生されるが、このプラスイオンを電源などに逃がさないとプラスイオンとマイナスイオンがまたすぐに結合してしまい、機能を果たさないものである。
【００１５】
また、このマイナスイオン発生器は汎用性を持たせる目的で、その電源は直流電源としているものが多い。
【００１６】
【発明が解決しようとする課題】
このように放電式マイナスイオン発生器を石油ファンヒータに搭載しようと考えた場合、制御回路の電源と放電式マイナスイオン発生器の電源は共に直流であるので、電源を共用することが考えられる。しかし、マイナスイオン発生器から発生したプラスイオンを電源に逃がす必要があるが、制御回路の電源と共用すると、制御回路で検出している炎電流に影響を与え、燃焼状態の検出が正常にできない場合があるという問題があった。
【００１７】
【課題を解決するための手段】
上記の問題を解決するために、本発明は、筐体内に直流電源によりマイナスイオンを発生させる放電式マイナスイオン発生器を備えた石油燃料燃焼暖房機において、石油燃料燃焼暖房機の燃焼などの制御を行う制御回路の直流電源は、商用電源から絶縁トランスを介して供給する構成とし、放電式マイナスイオン発生器に供給する直流電源は、前記制御回路の直流電源とは共用化せず、商用電源に直流変換用ダイオードを介して直接接続するようにしたものである。
【００１８】
【発明の実施の形態】
以下、本発明について、実施例を基に説明する。
【００１９】
図１は、本発明の一実施例を示す石油ファンヒータの制御回路概略ブロック図である。図１は図２の従来例の制御回路にマイナスイオン発生回路を付加した回路であり、図２で説明した部分の説明は省略する。
【００２０】
図１において、２２は制御回路で、図２で説明した従来例の制御回路と同じ構成である。
【００２１】
１７はマイナスイオン発生器であり、商用電源９から制御回路２２の電源とは別に、直流変換用ダイオード２０とマイナスイオン発生器用電源回路１９を設け、直流化した電圧をマイナスイオン発生器１７の電源として供給する。
【００２２】
マイナスイオン発生器１７は入力された直流電圧を内部の回路でスイッチングさせ高電圧の直流電圧に変換して、電極１８に印加する。そして電極１８に印加された高電圧により電極部分にマイナスイオンが発生する。この時同時にプラスイオンも発生するが、プラスイオンはマイナスイオン発生器用電源回路１９と直流変換用ダイオード２０を通して商用電源９に逃げていく。
【００２３】
尚、２１はリレーでマイナスイオン発生器１７の電源をオン・オフするものである。
【００２４】
本発明は上記の構成より成り、次にその動作について説明する。
【００２５】
運転スイッチ２が押されると、マイコン１は運転ランプ３を点灯すると共に電磁弁４を開き、気化器内に石油を導き、気化器内のヒーター５に通電し、石油を加熱し、石油を気化する温度まで上昇させた後、イグナイター６で火花を発生させ、気化した石油に着火動作をする。
【００２６】
マイコン１は、バーナー７とフレームロッド８間に炎があることによって流れる炎電流を検知することにより着火の検知をする。
【００２７】
マイコン１では予めプログラミングされている正常な燃焼時における炎電流値と電圧値の関係テーブルに基づいて、正常燃焼か否かを検知する。
【００２８】
着火後、燃焼の熱で石油は気化するためヒーター５の通電を停止し、ポンプ１２により石油を気化器内にタンクから送るとともに送風ファン１３を動作させ、燃焼で発生した熱を筐体外に温風として排出する。
【００２９】
着火を検出するとマイコン１はリレー２１を動作させ、その接点を閉じることにより直流変換用ダイオード２０に電源を供給し、マイナスイオン発生器用電源回路１９によりマイナスイオン発生器１７に電源を供給する。
【００３０】
マイナスイオン発生器１７は入力された直流電圧を内部の回路でスイッチングさせることにより高電圧を発生させ、これを電極１８に印加することにより電極１８からマイナスイオンを発生させ、マイナスイオンを温風とともに筐体外に排出する。
【００３１】
【発明の効果】
本発明は、以上説明したように、放電式マイナスイオン発生器に直流を供給する電源回路を、制御回路の電源回路とは別に設け、直流変換用ダイオードを介して商用電源に直接接続するように構成することにより、マイナスイオン発生時に同時に発生するプラスイオンが制御回路で検出している炎電流に影響を与えることがなくなり、燃焼状態の検出が正常にできない場合があるという問題を解決することができる。
【図面の簡単な説明】
【図１】本発明の一実施例を示す石油ファンヒータの制御回路概略ブロック図である。
【図２】従来例の石油ファンヒータの制御回路概略ブロック図である。
【符号の説明】
９　商用電源
１０　絶縁トランス
１７　マイナスイオン発生器
２０　直流変換用ダイオード
２２　制御回路
【図１】
2004101152.tif 000003
【図２】
2004101152.tif 000004